(57)【要約】【課題】骨盤を立てることと、骨盤を立てた状態を維持することとを補助するスポーツ用衣服を提供すること。【解決手段】骨盤支持部２と、アンカー部６とを有するスポーツ用衣服１であって、骨盤支持部２は、骨盤支持部２の素材が、上記衣服の骨盤支持部２以外の素材に対して３〜６倍の引張強度を有し、着用者の骨盤を保持及び支持し、アンカー部６は、スポーツ用衣服１の背面側に配置され、骨盤支持部２を、後股上線又は前股上線上にある固定部３に連結し、そして骨盤支持部２とアンカー部６とが一緒になって、着用者の骨盤が前傾することを防止するようにはたらくことを特徴とするスポーツ用衣服１。【選択図】図１
2011058150.tif 000002
【特許請求の範囲】
【請求項１】
骨盤支持部と、アンカー部とを有するスポーツ用衣服であって、
前記骨盤支持部は、当該骨盤支持部の素材が、前記衣服の骨盤支持部以外の素材に対して３〜６倍の引張強度を有し、着用者の骨盤を保持及び支持し、
前記アンカー部は、前記スポーツ用衣服の背面側に配置され、前記骨盤支持部を、後股上線又は前股上線上にある固定部に連結し、そして
前記骨盤支持部とアンカー部とが一緒になって、着用者の骨盤が前傾することを防止するようにはたらく、
ことを特徴とするスポーツ用衣服。
【請求項２】
前記骨盤支持部が、着用者の仙骨を覆い且つ左右の上前腸骨棘を抱え込む形状を有する、請求項１に記載のスポーツ用衣服。
【請求項３】
前記骨盤支持部が、着用者の腰椎をさらに保持及び支持する形状を有する、請求項２に記載のスポーツ用衣服。
【請求項４】
前記骨盤支持部が、腹部を覆わない形状を有する、請求項１〜３のいずれか一項に記載のスポーツ用衣服。
【請求項５】
前記アンカー部が、後股上線に沿って配置されている、請求項１〜４のいずれか一項に記載のスポーツ用衣服。
【請求項６】
前記アンカー部が、後股上線の縫目を利用して設けられている、請求項１〜５のいずれか一項に記載のスポーツ用衣服。
【請求項７】
前記アンカー部が、前記骨盤支持部以外の素材を、伸び止めテープ又は伸びない素材で縫製することにより形成された、請求項１〜６のいずれか一項に記載のスポーツ用衣服。
【請求項８】
前記骨盤支持部が、複数の生地層、及び一又は複数のホットメルト層を含む積層構造を有する、請求項１〜７のいずれか一項に記載のスポーツ用衣服。
【請求項９】
自転車用である、請求項１〜８のいずれか一項に記載のスポーツ用衣服。
【請求項１０】
前記固定部が、股間部にかかる衝撃を和らげるパッド材を含む股パッド部の端部と、前記後股上線とが交差する部分にある、請求項９に記載のスポーツ用衣服。
【請求項１１】
スケート又はスキー用である、請求項１〜８のいずれか一項に記載のスポーツ用衣服。
【請求項１２】
前記固定部が股十字部である、請求項９又は１１に記載のスポーツ用衣服。
【発明の詳細な説明】
【技術分野】
【０００１】
本発明は、骨盤支持部及びアンカー部を有するスポーツ用衣服に関する。本発明は、特に、骨盤を立てることと、骨盤を立てた状態を維持することとを補助する、骨盤支持部及びアンカー部を有するスポーツ用衣服に関する。
【背景技術】
【０００２】
各種スポーツ、特に体を断続的又は継続的に前傾させた状態に保つことが多いスポーツでは、上半身を前傾させつつも、『骨盤を立てる』ことが重要であることが認識されつつある。例えば、自転車レースでは、路面に対して骨盤を立てたライディングフォームは、長時間、効率良く足の力を自転車に伝えるために重要なフォームであるが、特に経験の浅いライダーは、骨盤を立てた姿勢を持続することが難しく、時間の経過と共に、路面に対して骨盤が倒れた、いわゆる上体がつぶれた状態になりやすい。
【０００３】
上体がつぶれると、重心が前方に移動して、体重が腕及び肩等により多くかかるようになり、それらが痛み、さらに腰、お尻等にも痛みが生ずることが多くなる。また、上体がつぶれることにより、膝が上がらなくなり、足の力が効率的に自転車に伝わりにくくなり、ペダルを漕ぐためにより強い力が必要となり、足の痛み及び攣りにも繋がりうる。従って、特に経験の浅いライダーのために、骨盤を立て、そして骨盤を立てた姿勢を続けることを補助することができるようなスポーツ用衣服が望まれている。
【０００４】
同様に、オートバイ、スピードスケート、スキー等の前傾姿勢を継続的に保持するスポーツ、並びにテニス等の断続的に前傾姿勢を保持するスポーツにおいても、骨盤自体を立てた姿勢を保つことを補助するようなスポーツ用衣服を用いることにより、足の力を効率よく地面に伝えることができる等の効果が得られるものと考えられる。
しかし、上述の自転車、オートバイ、スピードスケート、スキー等の分野において、これまで、骨盤を立てることと、骨盤を立てた状態を維持することとに着目したスポーツ用衣服は開示されていなかった。
【０００５】
例えば、前傾姿勢を補助する衣服として、特許文献１には、伸縮性を有する競技用ウェアの生地本体よりも伸縮度の強い素材から成る姿勢制御用生地を競技用ウェアの生地裏面に縫製または接着し、該姿勢制御用生地が競技時に前傾姿勢を採ったとき背中側より前傾姿勢を引張り、該前傾姿勢が楽に採れるよう縫製されたことを特徴とするスポーツ競技姿勢を制御する競技用ウェアが開示されている。
しかし、特許文献１に開示される競技用ウェアは、前傾姿勢を保つために伸縮度の高い素材で背中側から前傾姿勢を引張るものであって、骨盤には着目しておらず、骨盤を立てることと、骨盤を立てた状態を維持することとを目的としていない。
【０００６】
また、特許文献２には、主構成部分がストレッチ素材で形成され、着用者の肌の表面にほぼ密着した状態で着用される、強緊締素材及び弱緊締素材を含むスポーツ用ウェアであって、上記強緊締素材は着用者の頭部から頚部、背部、腰部、臀部、大腿部、下腿部の範囲を宛がう領域を含む位置に配置し、上記強緊締素材を配置した領域以外の領域に、上記弱緊締素材を配置したことを特徴とするスポーツ用ウェアが開示されている。
しかし、特許文献２に開示されるスポーツ用ウェアは、強緊締素材を各所に配置することにより前傾姿勢における腰を曲げた状態、膝を曲げた状態、及び顔を上げた状態を保つことを補助するものであって、骨盤には着目しておらず、骨盤を立てることと、骨盤を立てた状態を維持することとを目的としていない。
【０００７】
次に、腰部付近をサポートする衣服として、特許文献３には、主構成部分がストレッチ素材で形成され、着用者の下半身の表面にほぼ密着した状態で着用され、第１の種類の素材及び第２の種類の素材を含む運動用スパッツであって、上記第１の種類の素材の緊締力は上記第２の種類の素材の緊締力よりも強く、上記第１の種類の素材は、少なくとも両方の大臀筋の一部又は全部をそれぞれ覆う位置に配置され、上記第２の種類の素材は、上記第１の種類の素材を配置した領域以外の領域に配置されていることを特徴とする運動用スパッツが開示されている。
しかし、特許文献３に開示される運動用スパッツは、大腿筋の収縮を補助するものであって、骨盤には着目しておらず、骨盤を立てることと、骨盤を立てた状態を維持することとを目的としていない。
【０００８】
また、特許文献４には、少なくとも下半身の一部をカバーし股部を有しており人体にフィットさせて着用する伸縮性生地からなる衣料であって、上記衣料は部分的に緊締力の強い部分を有しており、上記緊締力の強い部分が、衣料後側の人体の仙骨から腰椎上のいずれかの部分に相当する位置に於いて左右部分が連結しており、上記位置から左右の大殿筋のほぼ筋繊維方向に沿って臀部の膨らみの頂点又はその近傍を通り少なくとも大転子近傍に至る部分をカバーしている強緊締力部である衣料が開示されている。
しかし、特許文献４に開示される衣料は、股関節の安定性を向上させるものであって、骨盤には着目しておらず、骨盤を立てることと、骨盤を立てた状態を維持することとを目的としていない。
【先行技術文献】
【特許文献】
【０００９】
【特許文献１】特開２００７−１６３６６号公報
【特許文献２】特開２００６−９７２１３号公報
【特許文献３】特開２００５−１４６４５０号公報
【特許文献４】特開２００１−１９２９０３号公報
【発明の概要】
【発明が解決しようとする課題】
【００１０】
以上のように、従来のスポーツ用衣服は、骨盤には着目しておらず、骨盤を立てることと、骨盤を立てた状態を維持することとを補助する衣服ではなかった。
従って、本発明は、骨盤を立てることと、骨盤を立てた状態を維持することとを補助するスポーツ用衣服を提供することを課題とする。
【課題を解決するための手段】
【００１１】
本発明者らは、上記課題を解決するために鋭意検討した結果、骨盤支持部と、アンカー部とを有するスポーツ用衣服であって、上記骨盤支持部は、当該骨盤支持部の素材が、上記衣服の骨盤支持部以外の素材に対して３〜６倍の引張強度を有し、着用者の骨盤を保持及び支持し、上記アンカー部は、上記スポーツ用衣服の背面側に配置され、上記骨盤支持部を、後股上線又は前股上線上にある固定部に連結し、そして上記骨盤支持部とアンカー部とが一緒になって、着用者の骨盤が前傾することを防止するようにはたらくことを特徴とするスポーツ用衣服により、上記課題を解決できることを見出し、本発明を完成するに至った。
【００１２】
具体的には、本発明は以下の態様に関する。
［態様１］
骨盤支持部と、アンカー部とを有するスポーツ用衣服であって、
上記骨盤支持部は、当該骨盤支持部の素材が、上記衣服の骨盤支持部以外の素材に対して３〜６倍の引張強度を有し、着用者の骨盤を保持及び支持し、
上記アンカー部は、上記スポーツ用衣服の背面側に配置され、上記骨盤支持部を、後股上線又は前股上線上にある固定部に連結し、そして
上記骨盤支持部とアンカー部とが一緒になって、着用者の骨盤が前傾することを防止するようにはたらく、
ことを特徴とするスポーツ用衣服。
【００１３】
［態様２］
上記骨盤支持部が、着用者の仙骨を覆い且つ左右の上前腸骨棘を抱え込む形状を有する、態様１に記載のスポーツ用衣服。
［態様３］
上記骨盤支持部が、着用者の腰椎をさらに保持及び支持する形状を有する、態様２に記載のスポーツ用衣服。
【００１４】
［態様４］
上記骨盤支持部が、腹部を覆わない形状を有する、態様１〜３のいずれか一つに記載のスポーツ用衣服。
［態様５］
上記アンカー部が、後股上線に沿って配置されている、態様１〜４のいずれか一つに記載のスポーツ用衣服。
【００１５】
［態様６］
上記アンカー部が、後股上線の縫目を利用して設けられている、態様１〜５のいずれか１つに記載のスポーツ用衣服。
［態様７］
上記アンカー部が、上記骨盤支持部以外の素材を、伸び止めテープ又は伸びない素材で縫製することにより形成された、態様１〜６のいずれか一つに記載のスポーツ用衣服。
【００１６】
［態様８］
上記骨盤支持部が、複数の生地層、及び一又は複数のホットメルト層を含む積層構造を有する、態様１〜７のいずれか一つに記載のスポーツ用衣服。
［態様９］
自転車用である、態様１〜８のいずれか一つに記載のスポーツ用衣服。
【００１７】
［態様１０］
上記固定部が、股間部にかかる衝撃を和らげるパッド材を含む股パッド部の端部と、上記後股上線とが交差する部分にある、態様９に記載のスポーツ用衣服。
［態様１１］
スケート又はスキー用である、態様１〜８のいずれか一つに記載のスポーツ用衣服。
［態様１２］
上記固定部が股十字部である、態様９又は１１に記載のスポーツ用衣服。
【発明の効果】
【００１８】
本発明のスポーツ用衣服は、骨盤を立てることと、骨盤を立てた状態を維持することを補助することができる。
【図面の簡単な説明】
【００１９】
【図１】図１は、本発明のスポーツ用衣服の一態様の正面図である。
【図２】図２は、本発明のスポーツ用衣服の一態様の背面図である。
【図３】図３は、本発明のスポーツ用衣服のバリエーション例を示す。
【図４】図４は、本発明に用いられるアンカー部の作用を説明するための図である。
【発明を実施するための形態】
【００２０】
本発明のスポーツ用衣服について、以下、詳細に説明する。
［骨盤支持部］
本明細書において、「骨盤支持部」は、着用者の骨盤を保持し且つ支持する部分であり、そして着用者が前傾姿勢をとる際に骨盤も一緒に倒れてしまわないように、前傾姿勢をとらせつつも、骨盤を立て、そして骨盤を立てた状態を保持することを補助する部分である。
上記骨盤支持部は、後述のアンカー部と一緒になって、着用者の骨盤が前傾することを防止するようにはたらく。
【００２１】
本明細書において、「骨盤」には、寛骨、仙骨及び尾骨が含まれ、そして「寛骨」には、癒合の程度とは無関係に、腸骨、坐骨及び恥骨、それらに由来する部分が含まれる。従って、本明細書において、例えば、「腸骨」と称する場合には、腸骨、及び寛骨のうち腸骨に由来する部分が含まれる。
なお、骨盤を立てる対象は、力を伝えるべき面であり、例えば、二輪車用衣服、例えば、自転車用衣服又はオートバイ用衣服の場合には路面であり、スケート用衣服の場合にはスケートリンク面であり、そしてスキー用衣服の場合には斜面である。
【００２２】
上記骨盤支持部は、本発明のスポーツ用衣服の骨盤支持部以外の素材と比較して、３〜６倍の引張強度を有し、３．５〜５．５倍の引張強度を有することが好ましく、そして４〜５倍の引張強度を有することがより好ましい。上記引張強度が３倍未満であると、骨盤を保持及び支持する効果が得られにくく、そして上記引張強度が６倍を超えると、着用感が低下する。
【００２３】
本明細書において、「スポーツ用衣服の骨盤支持部以外の素材」とは、骨盤支持部以外の素材の任意の部位を意味し、特に、上記骨盤支持部に隣接する上半身よりの素材、上記骨盤支持部に隣接する下半身よりの素材が挙げられる。
【００２４】
上記引張強度は、ＪＩＳ  Ｌ  １０１８の「８．１３  引張強さ及び伸び率」のＢ法（グラブ法）に準拠して測定することができる。ＪＩＳ  Ｌ  １０１８と異なる点は、以下の通りである。
つかみ間隔：１０ｃｍ
引張速度：１００ｍｍ／分
測定：伸び率５０％まで５回伸張し、５回目に測定した値を採用
測定機器としては、定速伸張型引張試験器、例えば、ＯＲＩＥＮ  ＴＥＣ社製のＲＴＣ−１２１０Ａを用いることができる。
上記引張強度としては、３０％伸張時の値を用いることができる。着用時に、上記骨盤支持部は、通常、３０％程度伸張することが想定されるからである。
【００２５】
上記骨盤支持部の形状は、着用者の骨盤を保持及び支持することができる形状の範囲内であれば、特に制限されない。上記骨盤支持部は、着用者の左右の腸骨の、それぞれ、少なくとも一部を包み込むような形状を有することが好ましい。上記骨盤支持部は、着用者の仙骨を覆い且つ左右の上前腸骨棘を抱え込む形状を有することがより好ましい。
【００２６】
上記骨盤支持部は、背面側の上端が着用者の腰椎を覆うように延長し、着用者の腰椎をさらに保持及び支持するような形状を有していてもよい。腰椎を保持及び支持することにより、運動時の座骨神経の圧迫を低減することができる。また、上記骨盤支持部の背面側の下端は、尾骨を覆ってもよい。
【００２７】
また、上記骨盤支持部の正面側は、腹部の少なくとも一部を覆わないような形状を有することが好ましく、特に下腹部を覆わないような形状を有することがさらに好ましい。腹部の少なくとも一部、特に下腹部を解放することにより、スポーツの際に好ましくない腹部の圧迫感を低減することができるからである。
なお、本明細書において、「腹部」は、胸部と鼠径部との間の部分を意味し、「下腹部」は、腹部のうち、臍より下の部分を意味する。
【００２８】
上記骨盤支持部の素材は、上述の引張強度を達成することができるものであれば、特に制限されるものではない。上記骨盤支持部の素材は、例えば、スポーツ用衣服の分野で通常用いられている生地を単独又は複数枚重ねたものであってもよい。上記生地としては、例えば、編物、例えば、経メリヤス、例えば、トリコット、織物等を用いることができる。上記生地に用いられる繊維としては、例えば、伸縮性に優れるポリウレタン系繊維を用いることができる。
また、上記骨盤支持部の素材は、上述の生地２枚の間にホットメルト層を挟んだものでもよく、そして上述の生地の表面にポリマー層を貼り付けたものであってもよい。
【００２９】
上記骨盤支持部の素材には、骨盤支持部に所望の特性、特に引張強度を付与するために、そのような特性を付与しうるポリマーフィルムを含ませることができる。当該ポリマーフィルムとしては、例えば、ポリウレタン、ポリエステル、アクリル、例えば、エチレンと酢酸ビニルとのコポリマー、ポリオレフィン、ポリアミド、合成ゴム等が挙げられる。
【００３０】
本明細書において、「ホットメルト層」は、加熱することにより溶融し、冷えることにより２つの層を接着し、ホットメルト接着剤の層を意味する。上記ホットメルト接着剤としては、特に制限されないが、例えば、ポリウレタン、ポリエステル、アクリル、例えば、エチレンと酢酸ビニルとのコポリマー、ポリオレフィン、ポリアミド、合成ゴム等が挙げられる。
【００３１】
本明細書において、「ポリマー層」は、１つの層に接着されたポリマーの層を意味する。ポリマー層とホットメルト層とは、ポリマー層は１つの層のみに接着している点で、２つの層に接着しているホットメルト層とは異なる。ポリマー層用のポリマーとしては、特に制限されず、ホットメルト接着剤と同様に、例えば、ポリウレタン、ポリエステル、アクリル、例えば、エチレンと酢酸ビニルとのコポリマー、ポリオレフィン、ポリアミド、合成ゴム等が挙げられる。
【００３２】
さらに、上記骨盤支持部の素材は、伸張状態から元の状態に戻る速度である伸張回復速度が速いことが好ましい。着用者は、スポーツの際に多種多様な動きをするので、例えば、ウエスト及び臀部の径は、運動時に断続的に大きく変化しうる。従って、上記伸張回復速度が速いと、そのような状況下においても、ウエスト及び臀部の径の変化に速やかに追従し、着用者の骨盤を良好に保持及び支持することができるからである。
【００３３】
［固定部］
上記固定部は、後述のアンカー部が連結される部分であり、後股上線又は前股上線上に存在する。本明細書において、「前股上線」は、本発明のスポーツ用衣服の前面における、股止まり部から衣服の左右の中心部分を丈方向に通り、最大でウエスト部に至る線を意味し、そして「後股上線」は、本発明のスポーツ用衣服の背面における、股止まり部から衣服の左右の中心部分を丈方向に通り、上記骨盤支持部に至る線を意味する。
なお、本明細書において、「前面」は腹側の面を意味し、そして「背面」は背中側の面を意味する。
【００３４】
上記固定部は、後股上線又は前股上線上に存在すれば、その位置は特に制限されないが、例えば、股止まり部又は股十字部であることができる。また、本発明のスポーツ用衣服が自転車用衣服である場合であって、さらに股間部にかかる衝撃を和らげるパッド材を含む股パッド部を有するときは、上記固定部は、上記股パッド部の端部と後股上線とが交差する部分にあるか、又は上記股パッド部の端部と前股上線とが交差する部分にあることができる。また上記固定部は、上記股パッド部の端部ではなく、上記股パッド部の内部にあってもよい。
本明細書において、「股十字部」は、後股上線又は前股上線と、足部の前後のパーツを連結する部分とが交差する部分を意味し、そして「股止まり部」は、後股上線及び前股上線の中で、着用時に最も低い位置にくる部分であり、そして後股上線及び前股上線を連結する部分である。
【００３５】
上記固定部が股止まり部又は股十字部である場合には、当該固定部は、左右の足部の付け根付近に位置することになるので、着用時にその位置が変化しにくい。
また、上記固定部が股止まり部又は股十字部である場合には、当該固定部は、一般的には、右足部パーツと、左足部パーツとの少なくとも２枚のパーツ、より一般的には、左右の足部の前身頃パーツ（計２枚）と、左右の足部の後身頃パーツ（計２枚）との４枚のパーツが縫製、接着等により連結される部分でもあるので、伸びにくく、位置が変化しにくい。
【００３６】
さらに、本発明のスポーツ用衣服が自転車用衣服である場合には、上記固定部は、着用者とサドルとにより押さえつけられる部位であるので、その観点からも位置が変化しにくい部分である。
本発明のスポーツ用衣服が自転車用衣服であって、さらに股パッド部を有するときは、当該股パッド部は、着用者とサドルとにより押さえつけられる部位であるので、固定部である上記股パッド部の端部と後股上線とが交差する部分、又は上記股パッド部の端部と前股上線とが交差する部分も、その位置が変化しにくい。
【００３７】
［アンカー部］
本発明に用いられるアンカー部は、上記衣服の背面側に配置され、上記骨盤支持部を、後股上線又は前股上線上にある固定部に連結する部分である。
上記アンカー部は、上述の骨盤支持部と一緒になって、着用者の骨盤が前傾することを防止するようにはたらく。
【００３８】
本発明に用いられるアンカー部の作用を、図４を用いて説明する。図４は、本発明のスポーツ用衣服の左側面図である。アンカー部６は、骨盤支持部２と、股十字部である固定部３とに連結されている。通常の姿勢、例えば、自転車競技の場合には、ハンドルを持たず、自転車にまたがった姿勢におけるアンカー部６の長さを基準Ｌとする。
ハンドルを握った場合に、前傾姿勢をとりつつも骨盤が立っていると、固定部３及び骨盤支持部２の位置にほとんど変化はなく、アンカー部６の長さは、基準Ｌとほぼ同一である。
【００３９】
一方、ハンドルを握った場合に、骨盤が倒れる、いわゆる上体が倒れた状態になると、固定部３の位置はほとんど変化しないものの、骨盤支持部２が上体と共に前方（図４において、向かって左側）に倒れるので、アンカー部６の長さは、基準Ｌよりも長くなる。
従って、アンカー部６を運動時に想定される荷重範囲内で伸びない又は伸びにくい素材とすることにより、骨盤が倒れた状態になることを防ぐことができると考えられる。
【００４０】
上記アンカー部の位置は、本発明のスポーツ用衣服の背面側に配置され、上記骨盤支持部を、後股上線又は前股上線上にある固定部に連結することが可能である範囲内であれば、特に制限されない。
【００４１】
上記アンカー部は、後股上線に沿って配置されることが好ましい。着用者の背骨の延長線上に沿って上記骨盤支持部を連結し、体が左右にぶれにくくなるからである。
また、上記アンカー部は、本発明のスポーツ用衣服の背面の骨盤支持部に隣接する下半身よりの素材が、後股上線に沿って少なくとも２つのパーツに分かれている場合には、後股上線の連結部、例えば、縫目部、接着部等を利用して設けられうる。例えば、縫目部を構成する縫目そのものに所望の機械的性質を有する、例えば、強度に優れる材料を用いること、接着部を構成する接着剤に所望の機械的性質を有する材料を用いること、又は、上述の２つのパーツの間に所望の機械的性質を有する別の部材を置き、当該部材を、上述の２つのパーツと、縫合又は接着することによりアンカー部を製造することができる。
【００４２】
上記アンカー部の素材は、上記骨盤支持部を、後股上線又は前股上線上にある固定部に連結することができるものであれば特に制限されず、例えば、上記骨盤支持部以外の素材に、単に縫製を施したものであってもよい。上記縫製によって形成される縫製部としては、フラットシーマ等が挙げられる。また、縫製によりアンカー部を形成する場合には、上記骨盤支持部以外の素材等を、伸び止めテープと一緒に縫製することにより、アンカー部の機械的性質、例えば、強度、伸び等を調整することができる。
上記伸び止めテープとしては、例えば、綿テープが挙げられる。
【００４３】
上記アンカー部は、上記骨盤支持部を上記固定部に連結することができるものであれば、上記骨盤支持部と同一の素材から構成されていてもよい。また、上記アンカー部は、骨盤支持部と一体化されていてもよい。
【００４４】
［スポーツ用衣服］
本発明のスポーツ用衣服の一態様を、図１及び図２に示す。図１は、本発明のスポーツ用衣服の一態様の正面図である。図２は、本発明のスポーツ用衣服の一態様の背面図である。図１及び図２は、自転車用衣服の例である。図１及び図２におけるスポーツ用衣服１では、骨盤支持部２は、着用者の仙骨を覆い且つ左右の上前腸骨棘を抱え込む形状を有し、さらに背面側の上端が着用者の腰椎を覆うように延長している。固定部３は、股パッド部４の端部と上記後股上線とが交差する部分にある。アンカー部６は、骨盤支持部以外の素材を、伸び止めテープと共にフラットシーマで縫製することにより形成され、骨盤支持部２と、固定部３とを連結する。また、符号５は縫製部であり、そして符号５’はフラットシーマである。なお、図１及び図２において、符号８，９及び１０は、それぞれ、股十字部、股止まり部及び股パッド部の端部と前股上線とが交差する部分を示す。
【００４５】
図３は、本発明のスポーツ用衣服のバリエーション例を示す。図３［ａ］が正面図であり、そして図３［ｂ］が背面図である。図３のスポーツ用衣服１では、骨盤支持部２は、着用者の仙骨を覆い且つ左右の上前腸骨棘を抱え込む形状を有する。アンカー部６は、骨盤支持部以外の素材同士をフラットシーマで縫製することにより形成され、骨盤支持部２を、固定部３である股十字部８に連結させる。接着部７は、接着剤により各素材を接着したものである。なお、図３において、符号１１及び１２は、それぞれ、前股上線及び後ろ股上線を示す。
【００４６】
本発明のスポーツ用衣服の骨盤支持部以外の素材には、スポーツ用衣服の分野で通常用いられている素材、例えば、生地、例えば、編物、例えば、経メリヤス、例えば、トリコット、織物等を特に制限されることなくそのまま用いることができる。通気性を考慮し、上記生地の一部をメッシュにより置換してもよい。上記骨盤支持部以外の素材は、上記生地を複数層重ねたものでもよく、必要に応じて、ホットメルト層、ポリマー層を任意の場所、例えば、上記生地の間に含むことができる。
【００４７】
本発明のスポーツ用衣服は、前傾姿勢をとりつつも骨盤を立てた状態を保つことが好ましいスポーツ全般に用いることができ、そして本発明のスポーツ用衣服として、例えば、二輪車用衣服、例えば、自転車用衣服又はオートバイ用衣服、スケート用衣服、スキー用衣服、テニス用衣服等が挙げられる。
【実施例】
【００４８】
以下、実施例および比較例を挙げて本発明を説明するが、本発明はこれらの実施例に限定されるものではない。
【００４９】
［製造例１］
図１及び図２に示すような自転車用衣服１を製造した。骨盤支持部を、トリコット生地、ホットメルト層及びトリコット生地の積層構造とし、そして骨盤支持部以外の素材として、骨盤支持部と同一のトリコット生地を用いた。アンカー部は、伸び止めテープを、上述のトリコット生地と共にフラットシーマにより縫製したものであり、上記骨盤支持部を、固定部である上記股パッド部の端部と後股上線とが交差する部分に連結させた。上述のＪＩＳ  Ｌ  １０１８に準拠する方法にて引張強度を測定したところ、３０％伸張時に上記骨盤支持部は、当該骨盤支持部に隣接する下半身よりのトリコット生地よりも５倍大きい引張強度を有していた。
【００５０】
［実施例１］
上記自転車用衣服１を、複数のアスリートライダーに着用してもらったところ、従来の自転車用衣服と比較して、骨盤が立てやすく、そして特に長時間のライドにおいて骨盤が立った状態を保ちやすかったとの回答を得た。
【符号の説明】
【００５１】
１    スポーツ用衣服
２    骨盤支持部
３    固定部
４    股パッド部
５    縫製部
５’    フラットシーマ
６    アンカー部
７    接着部
８    股十字部
９    股止まり部
１０    股パッド部の端部と前股上線とが交差する部分
１１    前股上線
１２    後股上線
【図１】
2011058150.tif 000003
【図２】
2011058150.tif 000004
【図３】
2011058150.tif 000005
【図４】
2011058150.tif 000006
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
骨盤支持部と、アンカー部と、固定部とを有するスポーツ用衣服であって、
前記骨盤支持部は、当該骨盤支持部の素材が、前記衣服の骨盤支持部以外の素材に対して３〜６倍の引張強度を有し、着用者の骨盤を保持及び支持し、
前記アンカー部は、前記スポーツ用衣服の背面側に配置され、前記骨盤支持部を、後股上線又は前股上線上にある前記固定部に連結し、そして
前記骨盤支持部とアンカー部とが一緒になって、着用者の骨盤が前傾することを防止するようにはたらく、
ことを特徴とするスポーツ用衣服。
【請求項２】
前記骨盤支持部が、着用者の仙骨を覆い且つ左右の上前腸骨棘を抱え込む形状を有する、請求項１に記載のスポーツ用衣服。
【請求項３】
前記骨盤支持部が、着用者の腰椎をさらに保持及び支持する形状を有する、請求項２に記載のスポーツ用衣服。
【請求項４】
前記骨盤支持部が、腹部を覆わない形状を有する、請求項１〜３のいずれか一項に記載のスポーツ用衣服。
【請求項５】
前記アンカー部が、後股上線に沿って配置されている、請求項１〜４のいずれか一項に記載のスポーツ用衣服。
【請求項６】
前記アンカー部が、後股上線の縫目を利用して設けられている、請求項１〜５のいずれか一項に記載のスポーツ用衣服。
【請求項７】
前記アンカー部が、前記骨盤支持部以外の素材を、伸び止めテープ又は伸びない素材で縫製することにより形成された、請求項１〜６のいずれか一項に記載のスポーツ用衣服。
【請求項８】
前記骨盤支持部が、複数の生地層、及び一又は複数のホットメルト層を含む積層構造を有する、請求項１〜７のいずれか一項に記載のスポーツ用衣服。
【請求項９】
自転車用である、請求項１〜８のいずれか一項に記載のスポーツ用衣服。
【請求項１０】
前記固定部が、股間部にかかる衝撃を和らげるパッド材を含む股パッド部の端部と、前記後股上線とが交差する部分にある、請求項９に記載のスポーツ用衣服。
【請求項１１】
スケート又はスキー用である、請求項１〜８のいずれか一項に記載のスポーツ用衣服。
【請求項１２】
前記固定部が股十字部である、請求項９又は１１に記載のスポーツ用衣服。